(57)【要約】【課題】  マイクロホンを落下させても、スピーカの故障に直接つながり、あるいは利用者に不快感を与える過大な音声信号が出力されることがなく、さらに、簡単な構成でかつ低コストである過大音声出力防止機能を有するマイクロホンを提供する。【解決手段】  マイクロホン２４が無重力状態であるか否かを検知する無重力センサ２４ｃと、当該マイクロホン２４が無重力状態となると、当該マイクロホン２４からの音声信号出力を中止させる音声出力制御手段２４ｂを備える。【選択図】図１
2012182573.tif 000002
【特許請求の範囲】
【請求項１】
過大な音声信号が出力されることを防止するためのマイクロホンであって、無重力センサと、音声出力制御手段と、を備え、
前記無重力センサは、マイクロホンが無重力状態であるか否かを検知し、
前記音声出力制御手段は、当該マイクロホンが無重力状態となると、当該マイクロホンからの音声信号出力を中止させる、
ことを特徴とする過大音声出力防止機能を有するマイクロホン。
【請求項２】
音声入力検知手段をさらに備え、
前記音声入力検知手段は、前記マイクロホンに対する音声入力の有無を検知し、
前記音声出力制御手段は、前記マイクロホンが無重力状態となった場合であっても、前記マイクロホンに対する音声入力がある場合には、前記マイクロホンからの音声信号出力を継続させる、
ことを特徴とする請求項１に記載の過大音声出力防止機能を有するマイクロホン。
【発明の詳細な説明】
【技術分野】
【０００１】
本発明は、過大音声出力防止機能を有するマイクロホンに関するものであり、詳しくは、スピーカの故障等に直接つながる過大な音声信号が、マイクロホンから出力されることを未然に防止するための技術に関するものである。
【背景技術】
【０００２】
従来、マイクロホンの使用者が誤ってマイクロホンを落としたり、無造作にテーブルに置いたりすると、マイクロホンが床やテーブルに衝突した際の衝撃音がそのまま増幅されて、スピーカユニットの定格値を超えた音声信号が出力されることがあった。そして、定格値を超えた音声信号がスピーカユニットに入力されると、最悪の場合、スピーカユニットが故障する場合があった。また、スピーカユニットが故障しないまでも、スピーカから大きな衝撃音が発生すると、利用者が驚いてしまったり、不快に感じたりする場合もあった。
【０００３】
すなわち、スピーカの振動部の配線（ボイスコイル）は非常に細いため（例えば、直径０．２ｍｍ程度）、定格値を超えた音声信号がスピーカユニットに入力された場合には、この配線が焼き切れたり、コーンに亀裂が入ったりする恐れがある。特に、スピーカの許容入力以上の出力を有するアンプを使用した場合や、アンプのトーンコントロールやイコライザで低音域あるいは高音域を大幅に強調した場合には、このような故障が発生する可能性が高かった。
【０００４】
パワーアンプからスピーカの許容電圧を超えた出力が行われないようにして、スピーカの故障を防止する技術が、特許文献１に開示されている。この特許文献１に記載された技術は、パワーアンプと入力端子側プリアンプとを絶縁する絶縁トランスと、外部電力と絶縁しプリアンプに電力供給を行う副電源部と、外部電力をトランスレスで直流に変換しパワーアンプに電力供給を行う主電源部と、パワーアンプとスピーカとを絶縁し出力音声信号をスピーカの許容電圧以下に制限する出力トランスとを備えている。
【先行技術文献】
【特許文献】
【０００５】
【特許文献１】特開２００４−１２９０１８号公報
【発明の概要】
【発明が解決しようとする課題】
【０００６】
しかしながら、上述した従来の技術では、スピーカに対する過大出力を防止するために、特殊な構成を有するアンプシステムを使用しなければならず、装置が大型化するばかりでなく、製造コストも増大するという問題があった。
【０００７】
本発明は、上述した事情に鑑み提案されたもので、利用者が誤ってマイクロホンを落としたり、無造作にマイクロホンを置いたりした場合であっても、スピーカの故障に直接つながり、あるいは利用者に不快感を与える過大な音声信号が出力されることがなく、さらに、簡単な構成でかつ低コストである過大音声出力防止機能を有するマイクロホンを提供することを目的とする。
【課題を解決するための手段】
【０００８】
本発明の過大音声出力防止機能を有するマイクロホンは、上述した目的を達成するため、以下の特徴点を有している。すなわち、本発明の過大音声出力防止機能を有するマイクロホンは、無重力センサと、音声出力制御手段と、を備えたことを特徴とするものである。
【０００９】
無重力センサは、マイクロホンが無重力状態であるか否かを検知するためのセンサである。音声出力制御手段は、マイクロホンが無重力状態となると、マイクロホンからの音声信号出力を中止させるための手段である。
【００１０】
このような構成からなる過大音声出力防止機能を有するマイクロホンでは、歌唱者がマイクロホンを落としたり投げたりして、マイクロホンが落下して重力負荷が無くなったこと（無重力状態となったこと）を無重力センサが検知すると、音声出力制御手段の機能により、マイクロホンからスピーカに対して出力される音声信号の送信を中断し、あるいはマイクロホンの電源をオフとして、マイクロホンからの音声信号出力を中止させる。
【００１１】
また、上述した構成に加えて、音声入力検知手段をさらに備えることが好ましい。音声入力検知手段は、マイクロホンに対する音声入力の有無を検知するための手段である。このような構成の場合に、音声出力制御手段は、マイクロホンが無重力状態となった場合であっても、マイクロホンに対する音声入力がある場合には、マイクロホンからの音声信号出力を継続させる機能を有する。
【００１２】
このような構成からなる過大音声出力防止機能を有するマイクロホンでは、マイクロホンが無重力状態となった場合であっても、音声入力検知手段の機能により、マイクロホンに対して音声が入力されている場合には、マイクロホンからの音声信号出力を中止することなく継続させる。
【発明の効果】
【００１３】
本発明の過大音声出力防止機能を有するマイクロホンによれば、利用者が誤ってマイクロホンを落としたり、無造作にマイクロホンを置いたりして、マイクロホンが無重力状態となった場合に、マイクロホンが床やテーブルに衝突するよりも前に、マイクロホンからの音声信号出力を中止させることにより、スピーカの故障に直接つながる過大な音声信号がスピーカに入力されることがないので、スピーカの故障を未然に防止することができる。
【００１４】
また、スピーカの故障に直接つながる過大な音声信号でなくても、マイクロホンから入力される衝撃音は利用者にとって不快なものであり、さらに、意図しない衝撃音に利用者が驚くことも懸念される。本発明の過大音声出力防止機能を有するマイクロホンによれば、このような衝撃音がスピーカから発生しないので、利用者に不快な思いをさせ、あるいは利用者を驚かせることがない。
【００１５】
また、本発明のマイクロホンをカラオケシステムに使用した場合には、歌唱者が振り付けとしてマイクロホンを動かすことにより、マイクロホンが無重力状態となることも想定され、この場合に、一律にマイクロホンからの音声信号出力を中止させたのでは、カラオケシステム本来の機能を阻害することになる。そこで、マイクロホンが無重力状態となった場合であっても、マイクロホンに対する音声入力がある場合には、マイクロホンからの音声信号出力を継続させる構成では、歌唱者が振り付けとしてマイクロホンを動かした場合等に適切に対応することができ、利用者がカラオケの楽しさを十分に味わうことが可能となる。
【図面の簡単な説明】
【００１６】
【図１】本発明の実施形態に係るマイクロホンを使用したカラオケシステムの構成を示すブロック図。
【図２】本発明の実施形態に係るマイクロホンの構成を示す模式図。
【図３】第１の実施形態に係る音声出力信号の制御処理を示すフローチャート。
【図４】第２の実施形態に係る音声出力信号の制御処理を示すフローチャート。
【発明を実施するための形態】
【００１７】
以下、図面を参照して、本発明の過大音声出力防止機能を有するマイクロホンの実施形態について説明する。図１〜図４は本発明の実施形態に係るマイクロホンを示すもので、図１はマイクロホンを使用したカラオケシステムの構成を示すブロック図、図２はマイクロホンの構成を示す模式図、図３は第１の実施形態に係る音声出力信号の制御処理を示すフローチャート、図４は第２の実施形態に係る音声出力信号の制御処理を示すフローチャートである。
【００１８】
＜マイクロホンの概要＞
本発明の実施形態に係るマイクロホンは、スピーカの故障等に直接つながる過大な音声信号が出力されることを未然に防止するものであって、マイクロホンが落下して無重力状態となったことを検知した場合に、マイクロホンからの音声信号出力を中止させるための構成要素として、無重力センサ及び音声出力制御手段を備えている。また、歌唱者が振り付けとしてマイクロホンを動かして無重力状態が創出された場合等に、一律にマイクロホンからの音声信号出力を中止させないための構成要素として、音声入力検知手段を備えることが好ましい。なお、以下の説明において、プログラムとは、ＲＡＭ等に記憶され、ＣＰＵ等のハードウェアで実行されることにより、その機能を発揮するソフトウエアだけではなく、同等の機能を発揮することが可能な論理回路も含む概念である。
【００１９】
＜カラオケシステム＞
以下、本発明の実施形態に係るマイクロホン２４をカラオケシステム１０に適用した例を示す。本発明の実施形態に係るカラオケシステム１０は、図１に示すように、カラオケ本体２１、カラオケリモコン装置２２、スピーカ２３、マイクロホン２４、表示装置２５、ミキシングアンプ２６、レシーバ２７を備えている。なお、本発明の実施形態に係るマイクロホン２４は、カラオケシステム１０以外にも適用することができるのはもちろんである。
【００２０】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００２１】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２２】
＜マイクロホン＞
マイクロホン２４は、歌唱音声の入力を行うための装置であり、図１及び図２に示すように、無線により音声信号をカラオケ本体２１へ送信するためのトランスミッタ２４ａを備えている。マイクロホン２４から入力された歌唱音声信号は、レシーバ２７を介してミキシングアンプ２６に入力され、音楽再生制御手段３７から送出される演奏音声信号とミキシングされると共に増幅されてスピーカ２３へ出力される。また、本実施形態のマイクロホン２４は、歌唱音声信号（音声出力）の制御を行う音声出力制御手段２４ｂと、無重力状態を検知する無重力センサ２４ｃと、電源のオンオフを行う電源スイッチ２４ｄを備えている。さらに、マイクロホン２４は、音声入力検知手段２４ｅを備えることが好ましい。
【００２３】
＜トランスミッタ／電源スイッチ＞
トランスミッタ２４ａは、無線により音声信号をレシーバ２７へ送信するための電子回路からなる。また、電源スイッチ２４ｄは、マイクロホン２４へ供給する電源のオンオフを行うためのスイッチであり、詳細には図示しないが、マイクロホン２４の外面に設けられて利用者が操作する操作部と、操作部の操作状態及び音声出力制御手段２４ｂの制御に応じて電源をオンオフする電源制御部とを備えている。
【００２４】
＜無重力センサ＞
無重力センサ２４ｃは、公知の無重力センサ２４ｃであれば、どのような構成であってもよい。例えば、無重力センサ２４ｃは、互いに直交する３つの入力軸と、各入力軸に設けた判定回路と、判定回路の出力の論理和を演算する論理回路とを備えている。このような構成からなる無重力センサ２４ｃでは、各入力軸に作用した加速度を静電容量の変化に基づいて検出し、各入力軸にそれぞれ設けた判定回路により加速度の有無を判定する。そして、３つの判定回路の出力が論理回路に入力されて、すべての軸の加速度がゼロとなった場合に、無重力状態を検知した旨の信号が出力される。
【００２５】
また、無重力センサ２４ｃとして、無重力状態で開放状態となるメカニカルスイッチを採用してもよい。このメカニカルスイッチは、例えば、ケース内に鉄球を収容して構成されており、通常時には、内部の鉄球が導体であるケースの内壁に接する状態となるように設置される。この状態では、鉄球に接続された信号線とケースに接続された信号線とが導通する。一方、無重力状態となると、ケースの内壁から鉄球が離れるため、鉄球に接続された信号線とケースに接続された信号線とが絶縁される。
【００２６】
＜音声出力制御手段＞
音声出力制御手段２４ｂは、マイクロホン２４が無重力状態となると、当該マイクロホン２４からの音声信号出力を中止させるための電子回路及びプログラムからなる。すなわち、音声出力制御手段２４ｂは、マイクロホン２４に内蔵した無重力センサ２４ｃが無重力状態を検知すると、トランスミッタ２４ａによる音声信号の送信を中止させ、あるいは電源スイッチ２４ｄをオフとして、マイクロホン２４からの音声信号出力を中止させる。なお、音声出力制御手段２４ｂの機能として、トランスミッタ２４ａによる音声信号の送信を制御する機能、あるいは電源スイッチ２４ｄのオンオフを制御する機能の双方又はいずれか一方の機能を有していればよい。
【００２７】
＜音声入力検知手段＞
音声入力検知手段２４ｅは、マイクロホン２４に対する音声入力の有無を検知するための電子回路及びプログラムからなり、歌唱音声がマイクロホン２４に入力されているか否かを検知する。なお、歌唱音声以外の雑音を検知してしまうことを防止するため、所定値以上の音量の音声が入力された場合にのみ、音声入力がある旨の検知信号を出力する構成とすることが好ましい。また、音声入力の検知に基づくマイクロホン２４からの音声出力制御を行わない場合には、音声入力検知手段２４ｅは不要となる。
【００２８】
＜レシーバ＞
レシーバ２７は、マイクロホン２４から送信される音声出力信号を受信して、ミキシングアンプ２６へ出力するための電子機器からなる。なお、有線式のマイクロホン２４を利用する場合には、レシーバ２７は不要となり、マイクロホン２４から送信される音声出力信号は、直接、ミキシングアンプ２６に入力される。
【００２９】
＜表示装置＞
表示装置２５は、カラオケ楽曲に関連した背景映像や歌詞テロップ等を表示するための装置で、例えば、液晶ディスプレイ等により構成される。
【００３０】
＜カラオケ本体＞
カラオケ本体２１は、中央制御手段３１、ＲＯＭ３２、ＲＡＭ３３、ＨＤＤ３４、送受信手段３５、予約管理手段３６、音楽再生制御手段３７、映像再生制御手段３８を備えている。
【００３１】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３２】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。この予約待ち行列３３ａは、選曲予約されたカラオケ楽曲について、演奏順に楽曲ＩＤを並べて構成されたデータテーブルである。
【００３３】
＜ＨＤＤ＞
ＨＤＤ３４は、大容量記憶装置として機能するもので、楽曲データベース３４ａ、映像データベース３４ｂが格納されている。なお、ＨＤＤ３４に替えて、あるいはＨＤＤ３４と共に、データを書き替え可能なＤＶＤ等の大容量記憶装置を用いてもよい。
【００３４】
＜楽曲データベース／映像データベース＞
楽曲データベース３４ａは、演奏制御データ（ＭＩＤＩ（登録商標）データ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータである。
【００３５】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３６】
＜予約管理手段＞
予約管理手段３６は、利用者により楽曲検索手段２２ａの機能を用いて選曲された楽曲ＩＤを演奏順に並べて予約待ち行列３３ａを生成し、この予約待ち行列３３ａをＲＡＭ３３に格納して管理するためのプログラムからなる。
【００３７】
＜音楽再生制御手段＞
音楽再生制御手段３７は、楽曲ＩＤに基づいて楽曲データベース３４ａから抽出された演奏制御データに基づいて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してスピーカ２３より出力させるための装置である。
【００３８】
＜映像再生制御手段＞
映像再生制御手段３８は、カラオケ楽曲の演奏中に、映像データベース３４ｂから抽出した背景映像データと、楽曲データベース３４ａに含まれる歌詞描出データ（テロップデータ）とを、当該カラオケ楽曲の演奏データに同期させて表示装置２５に出力するためのプログラムからなる。
【００３９】
＜音声出力信号の制御処理＞
図３及び図４を参照して、本発明のマイクロホン２４における音声出力信号の制御処理を説明する。図３は第１の実施形態に係る音声出力信号の制御処理を示すフローチャートであり、マイクロホン２４が無重力状態となると、マイクロホン２４からの音声信号出力を中止させるものである。また、図４は第２の実施形態に係る音声出力信号の制御処理を示すフローチャートであり、マイクロホン２４が無重力状態となると、マイクロホン２４からの音声信号出力を中止させるが、マイクロホン２４に対して音声が入力されている場合には、マイクロホン２４からの音声信号出力を中止させることなく、音声信号出力を継続させるものである。
【００４０】
＜第１の実施形態＞
第１の実施形態に係る音声出力信号の制御処理では、図３に示すように、マイクロホン２４の電源がオンとなり（Ｓ１）、無重力センサ２４ｃが無重力状態であることを検知すると（Ｓ２）、音声出力制御手段２４ｂの機能により、トランスミッタ２４ａからレシーバ２７に対する音声信号の送信を中断し、あるいはマイクロホン２４の電源をオフとして（Ｓ３）、マイクロホン２４からの音声信号出力を中止させる。
【００４１】
そして、マイクロホン２４からの音声信号出力を中止させた場合に、無重力センサ２４ｃが重力負荷状態を検知すると（Ｓ４）、音声出力制御手段２４ｂの機能により、トランスミッタ２４ａからレシーバ２７に対する音声信号の送信を再開し、あるいはマイクロホン２４の電源をオンとする（Ｓ５）。
【００４２】
＜第２の実施形態＞
第１の実施形態に係る音声出力信号の制御処理では、図４に示すように、マイクロホン２４の電源がオンとなり（Ｓ１１）、無重力センサ２４ｃが無重力状態であることを検知し（Ｓ１２）、さらに、音声入力検知手段２４ｅが音声入力を検知しない（音声入力がない）場合（Ｓ１３）に、音声出力制御手段２４ｂの機能により、トランスミッタ２４ａからレシーバ２７に対する音声信号の送信を中断し、あるいはマイクロホン２４の電源をオフとして（Ｓ１４）、マイクロホン２４からの音声信号出力を中止させる。
【００４３】
そして、マイクロホン２４からの音声信号出力を中止させた場合に、無重力センサ２４ｃが無重力状態ではないこと（重力負荷状態）を検知すると（Ｓ１５）、音声出力制御手段２４ｂの機能により、トランスミッタ２４ａからレシーバ２７に対する音声信号の送信を再開し、あるいはマイクロホン２４の電源をオンとする（Ｓ１６）。
【００４４】
＜他の実施形態＞
本発明のマイクロホン、カラオケシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ本体を単体で動作させるのではなく、ホスト装置にネットワーク接続したカラオケ演奏端末として動作させてもよい。
【符号の説明】
【００４５】
１０  カラオケシステム
２１  カラオケ本体
２２  カラオケリモコン装置
２２ａ  楽曲検索手段
２２ｂ  楽曲索引データベース
２３  スピーカ
２４  マイクロホン
２４ａ  トランスミッタ
２４ｂ  音声出力制御手段
２４ｃ  無重力センサ
２４ｄ  電源スイッチ
２４ｅ  音声入力検知手段
２５  表示装置
２６  ミキシングアンプ
２７  レシーバ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  音楽再生制御手段
３８  映像再生制御手段
【図１】
2012182573.tif 000003
【図２】
2012182573.tif 000004
【図３】
2012182573.tif 000005
【図４】
2012182573.tif 000006